(57)【要約】【目的】  顔全体に光照射可能な装置であって、光源を差し替えることなく、必要な部分にのみ、特定の光を照射できる装置を提供することにあるを提供することにある。【解決手段】  発光色の異なる複数の光源Ｒ，Ｂを有する発光ユニット２と、該発光ユニット２における所定部位毎に発光色を選択する光選択部７とを備えた。光源Ｒ，Ｂの光量を可変する光量可変部８を備えた。光選択部７では、隣接する光源Ｒ，Ｂを所定数毎に区分けしたブロック単位もしくは素子単位で発光色もしくは点灯／消灯の選択を行い、光量可変部８では、ブロック単位もしくは素子単位で光量を可変する。【選択図】  図３
2006102165.tif 000002
【特許請求の範囲】
【請求項１】
顔などの皮膚組織に光を照射する装置であって、発光色の異なる複数の光源を有する発光ユニットと、該発光ユニットにおける所定部位毎に発光色を選択する光選択手段とを備えたことを特徴とする光照射装置。
【請求項２】
前記光源の光量を可変する光量可変手段を備えたことを特徴とする上記請求項１記載の光照射装置。
【請求項３】
前記光源を発光色の異なる２種類以上の発光ダイオードから構成し、前記光選択手段は、隣接する光源を所定数毎にブロック化し、このブロック単位で発光させる光源を選択することを特徴とする上記請求項１記載の光照射装置。
【請求項４】
前記光源を発光色の異なる２種類以上の発光ダイオードから構成し、前記光量可変手段は、隣接する光源を所定数毎にブロック化し、このブロック単位で光量の可変することを特徴とする上記請求項２記載の光照射装置。
【請求項５】
前記光源を発光色の異なる２種類以上の発光ダイオードから構成し、前記光選択手段は、各発光素子単位で点灯／非点灯を選択することを特徴とする上記請求項１記載の光照射装置。
【請求項６】
前記光源を発光色の異なる２種類以上の発光ダイオードから構成し、前記光量可変手段は、各発光素子単位で光量の選択をすることを特徴とする上記請求項２記載の光照射装置。
【請求項７】
前記発光ユニットを顔全体に光照射できる大きさとし、使用状態において目に対向する部位の発光を光量可変手段により消灯もしくは低光量としたことを特徴とする上記請求項２記載の光照射装置。
【発明の詳細な説明】
【技術分野】
【０００１】
本発明は、顔などの特定範囲に対して光を照射して、皮膚組織の活性化やニキビ治癒を促す光照射装置に関するものである。
【背景技術】
【０００２】
紫外線や赤外線を含まない光を皮膚に照射することで、皮膚の活性化や改善が図られることが確認され、医療・美容分野で応用され始めている。例えば、赤色波長（約６６０ｎｍ）を照射することで、肌の張りと潤いの元となるコラーゲンの増殖が図られ、青色波長（約４１５ｎｍ）を照射することで、ニキビの原因となるアクネ菌の死滅が図られることが知られている。
【０００３】
こうした光照射による皮膚への効能に着目して、患者の顔全体もしくは一部分に所定波長の光を照射させる装置が提案されている。これらの装置には、光源として高寿命で発熱量の少ない発光ダイオード（ＬＥＤ）が用いられ、このＬＥＤを複数配列して構成される発光ユニットを患者の患部に指向させるものである。発光ユニットは、使用用途に応じて交換され、コラーゲン活性の場合には赤色光源の、ニキビ治療の場合には青色光源の発光ユニットが使用されることになる。
【０００４】
この装置の欠点は、異なる発光色の光源を同時に使用することができない点にある。すなわち、コラーゲン活性の場合とニキビ治療の場合とで発光ユニットを差し替える必要があり面倒である。特に、ニキビ治療の場合、まず患部に青色波長（約４１５ｎｍ）を照射してアクネ菌を自滅させ、次に赤色波長（約６６０ｎｍ）を照射してニキビ後の皮膚を改善するといったように、波長の異なる光照射を連続的に行うのが理想であり、この照射光源の切替を発光ユニットを交換することで行うのは効率的ではない。
【０００５】
また、青色波長は、ニキビ菌を死滅させる作用を持つ一方、メラニン色素に吸収されて熱を発生し、周辺の細胞に悪影響を及ぼす危険性があるので、ニキビの患部以外に照射することは好ましくない。更に、発光ユニットから顔全体に光を照射するようにした場合、光源を直視しないよう、アイマスク等で目を隠されてしまうため、治療中の周囲状況が確認できず不安な気持ちになる患者も多かった。
【特許文献１】登録実用新案第３０９９１４０号
【特許文献２】特表２００４−５１１３１５号
【特許文献３】特開平１１−２６７１７８号
【発明の開示】
【発明が解決しようとする課題】
【０００６】
そこで、本発明が解決しようとする課題は、顔全体に光照射可能な装置であって、光源を差し替えることなく、必要な部分にのみ、特定の光を照射できる装置を提供することにある。
【課題を解決するための手段】
【０００７】
本発明は上記課題を解決するため、発光色の異なる複数の光源を有する発光ユニットと、該発光ユニットにおける所定部位毎に発光色を選択する光選択手段とを備えた。また、光源の光量を可変する光量可変手段を備えた。光源は、発光色の異なる２種類以上の発光ダイオードから構成し、光選択手段では、隣接する光源を所定数毎に区分けしたブロック単位で発光色の選択を行い、光量可変手段では、ブロック単位で光量を可変する。この光選択手段及び光量可変手段は、発光素子単位で発光色の選択と光量の可変を行っても良い。発光ユニットは、顔全体に光照射できる大きさとし、使用状態において目に対向する部位の発光を光量可変手段により消灯もしくは低光量とする。
【発明の効果】
【０００８】
本発明の光照射装置によれば、部分的に異なる波長の光を照射することが可能になる。よって、特にニキビ治療を行う場合には疾患のある部分に青色波長を照射し、その他の部分には赤色波長を照射するといったことができる。また、２種類以上の光源を混在させたので、同じ部分に異なる波長の光を同時に照射することや所定時間毎に切替えて照射することが可能になる。よって、異なる効能を同時に受けることができ、効率的なスキンケア・フェイスケアができる。更に、患者の目に対向する発光量を低減もしくは消灯するようにしたので、アイマスク等を装着することなく、リラックスして施術を受けることができる。
【発明を実施するための最良の形態】
【０００９】
光源として発光ダイオードを使用し、この光源を適宜配列した発光ユニットにより、顔全体に複数種の光を照射できる光照射装置である。
【実施例１】
【００１０】
以下、図面を用いて本発明の実施例１について説明する。図１は本発明の光照射装置を示している。１は本体ユニット、２は発光ユニット、３は発光ユニット２を本体ユニット１に対して揺動自在に支持するアームである。この装置は、本体ユニット１を机上など安定した場所に載置し、アーム３を介して発光ユニット２を患者の顔に向けて配置させて使用される。本体ユニット１には、フェイスケアメニューの選択や光量調整、光源の種別を選択するための操作パネル４が設けられ、この操作パネル４からの設定によって発光ユニット２を駆動する駆動回路５が内蔵されている。
【００１１】
図２は発光ユニット２を示している。発光ユニット２は、コラーゲンの増殖に効果がある６６０ｎｍ付近の波長を出力する赤色発光ダイオードＲと、ニキビ菌（アクネ菌）を死滅する効果がある４１５ｎｍ付近の波長を出力する青色発光ダイオードＢとをジグザグ状に配置して構成される。すなわち、図２に示されるように、行単位で赤色発光ダイオードＲと青色発光ダイオードＢが配列されることなる。尚、この配置は特に限定されるものではなく、素子を行方向に交互に配置したり、マトリクス状に配列したりしても良い。
【００１２】
また、発光ユニット２は、患者の顔から所定距離の位置に配置したときに、発光素子からの光照射が顔全体に均一に作用するような形状及び大きさに形成されており、この表面には発光素子が縦Ｍ×横Ｎ個設けられている。このうち、光量調整や光源選択などの設定操作を簡便にするため、縦ｍ×横ｎ個を１単位としてブロック化し、このブロック毎に設定操作を行うように構成されている。つまり、発光ユニット２の表面には、縦ｍ×横ｎ個からなる複数の発光ブロックが形成されている。
【００１３】
図３はこの装置の制御系を示すブロック図である。操作パネル４は、光照射時間を設定する時間設定部６と、ブロック毎に発光させる光源を選択する光選択部７と、発光させる光量を設定する光量設定部８と、パルス発光させるか否かを設定するパルス設定部９と簡易的なフェイスケアメニューを選択するメニュー選択部１０とを備えている。駆動回路５は、この操作パネル４が接続され、操作パネル４で入力される各設定に基づいて発光ユニット２を駆動する。
【００１４】
時間設定部６では、施術する時間を所定範囲内（例えば５〜２０分）で任意に光の照射時間が選択できる。光選択部７では、１ブロック単位で赤色発光ダイオードＲを発光させるか、青色発光ダイオードＢを発光させるか、両方とも点灯させるか、両方とも点灯させないかが選択できる。光量設定部８では、所定範囲内（例えば１０〜４０ｍＷ／ｃｍ２）で任意に発光の強度が選択できる。パルス設定部９では、連続発光かパルス発光かが選択できる。メニュー選択部１０では、赤色発光ダイオードＲのみを発光するコラーゲン生成メニューと、青色発光ダイオードＢのみを発光するニキビ治癒メニューが選択できる。
【００１５】
このように構成する光照射装置の動作について、部分的なニキビ治癒を行う場合を例に説明する。図４に示すように、頬部分にニキビの症状が現れている患者に対して施術する場合、疾患のある部位に相当する発光ユニット２でニキビ治療に適した青色発光させ、その他の部位は赤色発光させるように、操作パネル４にて設定する。駆動回路５では、この設定を受けてブロックＡm3-n2とブロックＡm3-n4で青色発光ダイオードＢのみを点灯させ、その他のブロックで赤色発光ダイオードＲのみを点灯させる。これにより、ニキビの疾患部にはニキビ治療に適した青色波長が確実に光照射され、疾患部以外の部位には青色波長を照射することなく、コラーゲン生成に適した赤色波長で光照射されるため、効率よく顔全体のケアが行われる。
【００１６】
青色波長の照射は、ニキビ菌を自滅させる作用を持つ一方、メラニン色素に吸収されて熱を発生し、周辺細胞に炎症を起こさせる作用を持つので、皮膚への負担が大きい。赤色波長は、細胞の活動を活性化し、ニキビの赤みを改善する効果があるので、ブロックＡm3-n2とブロックＡm3-n4については青色発光と赤色発光を同時行ったり、一定時間青色発光させた後、赤色発光させると更に効果的にニキビ治療を行うことができる。
【００１７】
また、施術中に、患者の目で直視される部位の発光ユニット２の発光を消灯もしくは低光量とする。すなわち、図中のブロックＡm2-n2とブロックＡm2-n4については消灯もしくは低光量とし、患者の目の保護を図る。これにより、これまで必要であったアイマスクの装着が不要となり、患者はリラックスした状態で施術を受けることができるようになる。
【実施例２】
【００１８】
上記実施例１と同様の装置において、光選択、光量選択、パルス選択をブロック単位でなく、素子毎に行えるようにする。これにより、青色発光の箇所を更に疾患部分に絞り込むことができる。尚、設定手段として、操作パネルを用いて装置側で各設定を行うようにしているが、素子単位での設定は手間が掛かる。そこで、患者の顔の形状を画像として取り込み、パソコン等で照射形態データを作成して、転送ケーブルや可搬式の記憶媒体を介して装置側に送信するようにすると良い。
【産業上の利用可能性】
【００１９】
専門機関での本格的な治療から、エステティックサロンや美容室でのフェイスケア、家庭での日常的な使用で幅広く活用できる。
【図面の簡単な説明】
【００２０】
【図１】本発明の光照射装置を示す説明図である。
【図２】同装置に用いられる発光ユニット２を示す説明図である。
【図３】同装置の制御系を示すブロック図である。
【図４】同装置の使用状態を示す説明図である。
【符号の説明】
【００２１】
１  本体
２  発光ユニット
４  操作パネル
５  制御回路
６  光選択部
７  光量可変部
【図１】
2006102165.tif 000003
【図２】
2006102165.tif 000004
【図３】
2006102165.tif 000005
【図４】
2006102165.tif 000006